(57)【特許請求の範囲】
【請求項１】
底部材と、底部材上に配設された頭載せ部材とを備える枕において、
該頭載せ部材に人の頭部を仰向けに載せたときに該頭載せ部材が頭部の荷重により陥没して該頭載せ部材上の頭部の最下部と前記底部材との間隔が１０〜３０ｍｍの範囲となるように該頭載せ部材に設けられた空洞部と、
該空洞部内に前記頭載せ部材を上方に付勢するように設けられた付勢機構とを備え、
該付勢機構は、前記頭載せ部材に人の頭部を載せた状態で頭頂部が位置する側を後側、人の頸部が位置する側を前側として、それぞれ前上がりに傾斜する第１リンク部材と後上がりに傾斜する第２リンク部材とを中間の枢着部で互いに回動自在に連結して構成される、前記空洞部内に横方向に離隔させて配置した１対のＸ型リンクと、該両Ｘ型リンクの前記第１リンク部材の前端部同士を連結する前側の上部連結部材と、該両Ｘ型リンクの前記第２リンク部材の後端部同士を連結する後側の上部連結部材と、該両Ｘ型リンクに対し前後方向の作用線に沿って該各Ｘ型リンクの前記両リンク部材を前後方向に接近させる方向のばね力を加えるばね部材とで構成され、該ばね部材により前記両Ｘ型リンクが上方の伸び側に付勢されることを特徴とする枕。
【請求項２】
前記各Ｘ型リンクの前記両リンク部材の前記枢着部は、前記第１リンク部材の前後方向中心位置より後方にオフセットした位置に設けられていることを特徴とする請求項１記載の枕。
【請求項３】
前記各Ｘ型リンクの前記第１リンク部材の前端部は、前記第２リンク部材の前端部より前側に位置することを特徴とする請求項２記載の枕。
【請求項４】
前記ばね部材は、前記前側の上部連結部材と前記後側の上部連結部材との間に横方向の間隔を存して張設した複数の引張りばねで構成されることを特徴とする請求項１記載の枕。
【請求項５】
前記付勢機構は、前記頭載せ部材の陥没途中で前記ばね部材のばね力の作用線と前記各Ｘ型リンクの前記両リンク部材の前記枢着部との上下方向の位置関係が逆転して、該ばね部材により前記両Ｘ型リンクが下方の縮み側に付勢されるように構成されると共に、該両Ｘ型リンクを該ばね部材による付勢力に抗して上方の伸び側に付勢して、該ばね部材のばね力の作用線と前記枢着部との上下方向の位置関係を再逆転させる第２のばね部材を備えることを特徴とする請求項１記載の枕。
【請求項６】
前記両Ｘ型リンクの前記第１リンク部材の後端部同士を連結する後側の下部連結部材と、前記両Ｘ型リンクの前記第２リンク部材の前端部同士を連結する前側の下部連結部材と、前記前側の上部連結部材と前記後側の上部連結部材との間に張設した上部引張りばねと、前記前側の下部連結部材と前記後側の下部連結部材との間に張設した下部引張りばねとを備え、上部引張りばねと下部引張りばねとの一方の引張りばねで前記ばね部材が構成され、他方の引張りばねで前記第２のばね部材が構成されることを特徴とする請求項５記載の枕。
【請求項７】
前記前側の上部連結部材と前記後側の上部連結部材と前記前側の下部連結部材と前記後側の下部連結部材とのうちの少なくとも一つの連結部材は回転調節可能な軸状部材で構成され、該軸状部材に前記引張りばねのうちの対応する引張りばねの端部が巻き付け固定されていることを特徴とする請求項６記載の枕。
【請求項８】
前記両Ｘ型リンクの前記第１リンク部材の後端部同士を連結する後側の下部連結部材と、前記両Ｘ型リンクの前記第２リンク部材の前端部同士を連結する前側の下部連結部材との少なくとも一方の下部連結部材を備え、該下部連結部材と前後同じ側の前記上部連結部材と該下部連結部材との間に可撓性を有する張り渡し部材が張設されると共に、該下部連結部材と該上部連結部材との一方の連結部材は回転調節可能な軸状部材で構成され、該軸状部材に前記張り渡し部材の端部が巻き付け固定されていることを特徴とする請求項１記載の枕。
【請求項９】
前記頭載せ部材に、前記軸状部材の端部に臨む工具挿入穴が形成されていることを特徴とする請求項７又は８記載の枕。
【請求項１０】
前記付勢機構は、伸縮自在な筒状のカバー部材に包み込まれていることを特徴とする請求項１記載の枕。
【請求項１１】
前記空洞部は、前記頭載せ部材が仰向き姿勢の人の頭部の荷重により陥没したときに、該頭載せ部材の表面と人の耳朶との間に間隔が確保される大きさに形成されることを特徴とする請求項１項記載の枕。
【請求項１２】
前記頭載せ部材は、軟質樹脂製成形体から成ることを特徴とする請求項１記載の枕。
【請求項１３】
前記頭載せ部材の前記空洞部の上方部分に、該空洞部と外部とを連通する連通孔を備えることを特徴とする請求項１２記載の枕。
【請求項１４】
前記空洞部の前側の壁部は、前記頭載せ部材の非陥没状態における上下方向に沿う断面形状が前側に凸の弧状になるように形成されていることを特徴とする請求項１２に記載の枕。
【請求項１５】
前記軟質樹脂は低反発ウレタンフォームであり、前記頭載せ部材の前記空洞部の天井面に、低反発ウレタンフォームより硬質の弾性材料製の裏板が積層されていることを特徴とする請求項１２記載の枕。
【請求項１６】
前記頭載せ部材は、羽毛、天然繊維、合成繊維、無機質粒子、有機質粒子、流体からなる群から選択された少なくとも１種の材料を内蔵する袋状体から成ることを特徴とする請求項１記載の枕。
【発明の詳細な説明】
【技術分野】
【０００１】
本発明は、寝具として用いる枕に関するものであり、さらに詳しくは睡眠時の姿勢によって高さが変化する枕に関するものである。
【背景技術】
【０００２】
人の睡眠時の姿勢は、直立状態をそのまま倒して仰向きとした状態が最も自然で好ましい。このとき、頭部の内で最も低い位置となる後頭部は、背中よりやや高い位置となるが、頸部の後背面は後頭部よりも１０〜５０ｍｍ程度高い位置にある。そこで、寝具として用いる枕は、人が仰向きの姿勢を取っているときに、後頭部の位置を背中よりやや高い位置とすると共に、後頭部よりも高い位置にある頸部を適切な強さで支持できることが望まれる。【０００３】
一方、人が睡眠時に寝返りを打ち横向きの姿勢になった場合には、頭部は肩部により支えられるので、前記仰向きの姿勢の場合よりも頭部の位置が高くなる。従って、枕は、睡眠時の仰向きまたは横向きの姿勢に応じて、高さが自動的に変化することが望まれる。【０００４】
従来、自動的に高さを変化させることのできる枕については、種々提案されている。例えば、頭載せ部材に人の頭部を載せた状態で頭頂部が位置する側を後側、人の頸部が位置する側を前側として、底部材と頭載せ部材との間に、右上がりに傾斜するリンク部材と左上がりに傾斜するリンク部材とを中間の枢着部で互いに回動自在に連結して成るＸ型リンクを備え、各リンク部材の一方の端部を底部材または頭載せ部材に軸支すると共に、各リンク部材の他方の端部を頭載せ部材または底部材に対し横方向に摺動自在に係合させ、頭載せ部材に軸支される一方のリンク部材の上端部と頭載せ部材に摺動自在に係合する他方のリンク部材の上端部との間に引張りばねを張設し、引張りばねによりＸ型リンクが上方の伸び側に付勢されるようにした枕が提案されている（特開昭５８−６７２１４号公報参照）。【０００５】
上記公報には、人が睡眠時に仰向き姿勢で頭載せ部材に頭部を載せると、頭載せ部材は頭部の荷重により引張りばねの付勢力に抗して下降し、一方、人が寝返りを打って横向き姿勢になり、頭部が肩部によって支えられて頭載せ部材に作用する荷重が減少すると、頭載せ部材は引張りばねによりＸ型リンクを介して頭載せ部材に付与される上方への付勢力により上昇し、その結果、人の睡眠時の姿勢に応じて、自動的に高さを変化させることができる旨の記載がある。【０００６】
然し、頭載せ部材を横向き姿勢の人の頭部に適合する上昇位置に頭部の荷重に抗して保持するには、頭載せ部材にその上昇位置で付与する上方への付勢力を頭部の荷重に相当する大きさにする必要があるため、人が仰向き姿勢になっても頭載せ部材は応答性良く下降せず、頸部に負荷がかかる不具合がある。また、上記従来の枕は、頭載せ部材が頭部の荷重により陥没する構成を備えておらず、更に、Ｘ型リンクの各リンク部材が水平に倒れる頭載せ部材の最下降位置でも頭載せ部材と底部材との間に各リンク部材の上下方向幅分の隙間が空くため、人が仰向き姿勢で頭載せ部材に頭部を載せたときに、後頭部の位置を十分に低くすることができないという不都合もある。また、上記従来の枕では、頭載せ部材に終始上方への付勢力が与えられているため、人は頭部の位置を低くするためには常に該付勢力に抗している必要があって、頸部に負荷が掛かり、肩凝り、頭痛、手足の痺れ、首痛、寝違い等の原因になるという不都合もある。
【発明の開示】
【０００７】
本発明は、以上の点に鑑み、人が仰向き姿勢で頭載せ部材に頭部を載せたときに、後頭部の高さが背中よりやや高い位置となるように、自動的に高さを調節することができ、且つ、人が仰向き姿勢で頭載せ部材に頭部を載せたときと、横向き姿勢で頭部を載せたときとで、自動的に高さを変化させることができる枕を提供することを目的とする。
【０００８】
さらに、本発明の目的は、人が仰向き姿勢で頭載せ部材に頭部を載せたときに、後頭部の高さを十分に低くするために余計な力を必要とせず、頸部に負荷が掛かることを防止できる枕を提供することにもある。
【０００９】
かかる目的を達成するために、本発明は、底部材と、底部材上に配設された頭載せ部材とを備える枕において、該頭載せ部材に人の頭部を仰向けに載せたときに該頭載せ部材が頭部の荷重により陥没して該頭載せ部材上の頭部の最下部と前記底部材との間隔が１０〜３０ｍｍの範囲となるように該頭載せ部材に設けられた空洞部と、該空洞部内に前記頭載せ部材を上方に付勢するように設けられた付勢機構とを備え、該付勢機構は、前記頭載せ部材に人の頭部を載せた状態で頭頂部が位置する側を後側、人の頸部が位置する側を前側として、それぞれ前上がりに傾斜する第１リンク部材と後上がりに傾斜する第２リンク部材とを中間の枢着部で互いに回動自在に連結して構成される、前記空洞部内に横方向に離隔させて配置した１対のＸ型リンクと、該両Ｘ型リンクの前記第１リンク部材の前端部同士を連結する前側の上部連結部材と、該両Ｘ型リンクの前記第２リンク部材の後端部同士を連結する後側の上部連結部材と、該両Ｘ型リンクに対し前後方向の作用線に沿って該各Ｘ型リンクの前記両リンク部材を前後方向に接近させる方向のばね力を加えるばね部材とで構成され、該ばね部材により前記両Ｘ型リンクが上方の伸び側に付勢されることを特徴とする。
【００１０】
本発明によれば、頭載せ部材の空洞部の上方部分が前側と後側の両上部連結部材により支えられる。そして、頭載せ部材に人が横向き姿勢で頭部を載せたときは、ばね部材により両Ｘ型リンクを介して頭載せ部材に作用する上方への付勢力により頭載せ部材は非陥没状態になり、頭載せ部材の空洞部の上方部分は横向き姿勢の人の頭部に適合する位置に上昇する。ここで、Ｘ型リンクを下方の縮み側に動かすのに必要な荷重は、荷重の作用箇所によって異なり、荷重の作用箇所が前側と後側の両上部連結部材間の前後方向中間部に位置するときは大きく、各上部連結部材に近付くほど小さくなる。これは、荷重の作用箇所が各上部連結部材に近付くほど各上部連結部材を介してＸ型リンクの各リンク部材に作用する枢着部回りのモーメントが大きくなるためである。人が就寝中に寝返りを打って横向き姿勢から仰向き姿勢になると、横向き姿勢時に頭載せ部材が非陥没状態に保持されている関係で頸部より頭部の位置が高くなって頸部が曲がり、頸部の筋反力により頸部が載る頭載せ部材の前側部分に作用する荷重が増加する。そして、頭載せ部材の前側部分の近傍には前側の上部連結部材が配置されているため、頸部の筋反力による荷重増加でＸ型リンクが下方の縮み側に応答性良く動いて、頭載せ部材が陥没する。
【００１１】
因みに、上記従来例のように右上がりに傾斜するリンク部材と左上がりに傾斜するリンク部材とで構成されるＸ型リンクを用いる場合は、両リンク部材の上端部間の横方向中間部が頭部及び頸部の荷重作用箇所になり、この部分はＸ型リンクを下方の縮み側に動かすのに必要な荷重が最も大きくなる箇所であるため、頸部の筋反力で荷重が増加してもＸ型リンクは下方の縮み側に応答性良く動かない。
【００１２】
ここで、本発明の各Ｘ型リンクの１対のリンク部材には、ばね部材のばね力によるモーメントが作用し、このモーメントは、ばね力の作用線と両リンク部材の枢着部との間の上下方向距離とばね力との積に等しい。Ｘ型リンクが下方の縮み側に動き始めると、リンク部材とばね力の作用線との成す角度が減少し、この減少に伴い１対のリンク部材間の前後方向距離が増加してばね力が増加する。然し、リンク部材とばね力の作用線との成す角度が比較的小さい角度範囲に収まっていれば、角度減少によるばね力の増加率は、ばね力の作用線と枢着部との間の距離の減少率に比し小さくなる。その結果、ばね力によりリンク部材に作用するモーメント、即ち、Ｘ型リンクに付与される上方の伸び側への付勢力はＸ型リンクが下方に縮むのに伴って減少する。従って、上記の如く頸部の筋反力による荷重増加でＸ型リンクが下方の縮み側に動き始めると、Ｘ型リンクは途中で停止することなく最収縮状態になるまで動く。そのため、頭載せ部材は完全に陥没して、頭部の最下部と底部材との間隔が１０〜３０ｍｍの範囲となり、該最下部が人の背中よりやや高い位置となる。頭部の最下部が前記位置にあると、直立状態の人をそのまま倒して仰向きとした状態となり、睡眠時に最も自然な姿勢を取ることができる。このように本発明によれば、人の姿勢変化に追従して枕の高さを自動的に適切に変化させることができ、快適な睡眠が得られる。
【００１３】
尚、人が仰向き姿勢で頭部を頭載せ部材に載せたとき、頭部の最下部たる後頭部は一般的に頭載せ部材の空洞部の上方部分の中央部に載ることになる。そして、空洞部内に横方向に離隔させて配置した１対のＸ型リンクの各リンク部材及び前側と後側の上部連結部材は後頭部が載る頭載せ部材の部分の真下には位置せず、各リンク部材及び前側と後側の連結部材が頭載せ部材越しに頭部に接触して不快感を生じさせるようなことは防止される。
【００１４】
ここで、各Ｘ型リンクの両リンク部材の枢着部は、第１リンク部材の前後方向中心位置より後方にオフセットした位置に設けられていることが望ましい。これによれば、両リンク部材の枢着部と前側の上部連結部材との間の前後方向距離が長くなり、前側の上部連結部材に加えられる下方への荷重によりリンク部材に作用する枢着部回りのモーメントが大きくなる。従って、仰向き姿勢になったときの頸部の筋反力による荷重増加で一層応答性良くＸ型リンクが下方の縮み側に動き、姿勢変更に対する枕の高さ変化の追従性が向上する。
【００１５】
この場合、各Ｘ型リンクの第１リンク部材の前端部が第２リンク部材の前端部より前側に位置するようにしておくことが望ましい。これによれば、前側の上部連結部材に加えられる下方への荷重により第２リンク部材の前端部を支点にしてＸ型リンク全体を後上がりに回転させる方向のモーメントが作用し、第１リンク部材の後端部が底部材から浮き上がる。ここで、Ｘ型リンクが下方の縮み側に動く際は、第１リンク部材の後端部が底部材に対し後側に変位し、この変位に対する底部材からの抵抗を受けると、Ｘ型リンクの縮み側への動きが妨げられる。然し、上記の如く第１リンク部材の後端部が底部材から浮き上がると、底部材からの抵抗を受けずに第１リンク部材の後端部が底部材に対し後側に変位できるようになり、Ｘ型リンクがスムーズに縮み側に動く。
【００１６】
また、ばね部材は、前側の上部連結部材と後側の上部連結部材との間に横方向の間隔を存して張設した複数の引張りばねで構成されることが望ましい。これによれば、頭載せ部材の空洞部の上方部分が引張りばねで弾性的に支えられる。従って、人が横向き姿勢で頭載せ部材が非陥没状態に存するときに、人の頭部が載る頭載せ部材の部分(空洞部の上方部分の中央部)が前後の上部連結部材の間で陥没して、頭部の位置が下がることを防止できる。
【００１７】
ところで、人が横向き姿勢のときに頭載せ部材を非陥没状態に保持するには、Ｘ型リンクに人の頭部の重量に応じた伸び側への付勢力を付与する必要がある。そして、頭部の重量の重い人に合わせてばね部材のばね力を強くすると、Ｘ型リンクの収縮に伴い上記の如く伸び側の付勢力が減少するとしても、Ｘ型リンクの最収縮状態(頭載せ部材の完全陥没状態)における伸び側への付勢力は十分に小さくならず、仰向き姿勢の人の頸部に負荷が掛かってしまう。尚、頭載せ部材の最陥没状態でばね部材のばね力の作用線と各Ｘ型リンクの両リンク部材の枢着部との間の上下方向距離が零になるようにすれば、頭載せ部材の最陥没状態における伸び側への付勢力は零になる。然し、これでは仰向き姿勢から横向き姿勢に姿勢変更したときに頭載せ部材を非陥没状態に復帰できなくなるため、頭載せ部材の完全陥没状態でもＸ型リンクに伸び側への付勢力が付与されるようにする必要がある。
【００１８】
以上の点を考慮すると、付勢機構は、頭載せ部材の陥没途中でばね部材(以下、第１のばね部材という)のばね力の作用線と各Ｘ型リンクの両リンク部材の枢着部との上下方向の位置関係が逆転して、第１のばね部材により両Ｘ型リンクが下方の縮み側に付勢されるように構成されると共に、両Ｘ型リンクを第１のばね部材による付勢力に抗して上方の伸び側に付勢して、第１のばね部材のばね力の作用線と枢着部との上下方向の位置関係を再逆転させる第２のばね部材を備えることが望ましい。これによれば、頭載せ部材の完全陥没状態においては第２のばね部材による伸び側への付勢力と第１のばね部材による縮み側の付勢力との差分の付勢力でＸ型リンクが伸び側に付勢されることになる。そのため、頭載せ部材の非陥没状態における伸び側への所要の付勢力が確保されるように第１のばね部材のばね力を強くしても、頭載せ部材の完全陥没状態における伸び側への付勢力を十分に小さくすることができ、仰向き姿勢の人の頸部に負荷が掛かることを防止でき、且つ、仰向き姿勢から横向き姿勢に姿勢変更し、頭部が肩部に支えられて頭載せ部材に作用する荷重が減少すると、頭載せ部材は非陥没状態に確実に復帰する。
【００１９】
この場合、第１のばね部材のばね力の作用線と各Ｘ型リンクの両リンク部材の枢着部との上下方向の位置関係が逆転した状態でのみＸ型リンクに第２のばね部材による伸び側への付勢力が付与されるように第２のばね部材を構成することも可能である。然し、好ましくは、両Ｘ型リンクの第１リンク部材の後端部同士を連結する後側の下部連結部材と、両Ｘ型リンクの第２リンク部材の前端部同士を連結する前側の下部連結部材と、前側の上部連結部材と前記後側の上部連結部材との間に張設した上部引張りばねと、前側の下部連結部材と後側の下部連結部材との間に張設した下部引張りばねとを備え、上部引張りばねと下部引張りばねとの一方の引張りばねで第１のばね部材が構成され、他方の引張りばねで第２のばね部材が構成されるべきである。これによれば、第１のばね部材のばね力の作用線と各Ｘ型リンクの両リンク部材の枢着部との上下方向の位置関係が逆転する前の状態、即ち、頭載せ部材の非陥没状態において第１のばね部材による付勢力と第２のばね部材による付勢力との合力でＸ型リンクが伸び側に付勢されることになり、第１と第２の両ばね部材のばね力を比較的弱くしても、頭載せ部材を非陥没状態に保持するのに必要な伸び側への所要の付勢力を得ることができる。その結果、各上部連結部材及び各下部連結部材の剛性を然程高くしなくても、ばね力によるこれら連結部材の撓みを防止でき、これら連結部材の軽量化、ひいては枕の軽量化を図ることができる。
【００２０】
更に、このものにおいて、前側の上部連結部材と後側の上部連結部材と前側の下部連結部材と後側の下部連結部材とのうちの少なくとも一つの連結部材が回転調節可能な軸状部材で構成され、該軸状部材に前記引張りばねのうちの対応する引張りばねの端部が巻き付け固定されていれば、軸状部材を回転調節することにより引張りばねのばね力を変化させて、頭載せ部材の非陥没状態においてＸ型リンクに付与される伸び側への付勢力を利用者の頭部の重量に合わせて簡単に調節することができる。
【００２１】
また、両Ｘ型リンクの第１リンク部材の後端部同士を連結する後側の下部連結部材と、両Ｘ型リンクの第２リンク部材の前端部同士を連結する前側の下部連結部材との少なくとも一方の下部連結部材を備え、該下部連結部材と前後同じ側の上部連結部材と該下部連結部材との間に可撓性を有する張り渡し部材が張設されると共に、該下部連結部材と該上部連結部材との一方の連結部材は回転調節可能な軸状部材で構成され、該軸状部材に張り渡し部材の端部が巻き付け固定されていれば、軸状部材を回転調節することにより、頭載せ部材の非陥没状態における下部連結部材と上部連結部材との間の間隔、即ち、頭載せ部材の高さを利用者に合わせて簡単に調節することができる。
【００２２】
尚、上記の如く引張りばねの端部を巻き付け固定する軸状部材や、張り渡し部材の端部を巻き付け固定する軸状部材を備える場合、頭載せ部材に、軸状部材の端部に臨む工具挿入穴が形成されていれば、付勢機構を空洞部から取り出さなくても、工具挿入穴に工具を挿入して軸状部材を回転調節することができ、上記の調節作業が一層容易になる。
【００２３】
ところで、リンク部材や上下の連結部材といった付勢機構の構成部材が頭載せ部材や底部材に接触すると、頭載せ部材や底部材が構成部材により擦られて損傷する虞がある。この場合、付勢機構が伸縮自在な筒状のカバー部材に包み込まれていれば、付勢機構の構成部材が頭載せ部材や底部材に直接接触せず、頭載せ部材や底部材の損傷を防止して耐久性を向上できる。
【００２４】
また、空洞部は、頭載せ部材が仰向き姿勢の人の頭部の荷重により陥没したときに、頭載せ部材の表面と人の耳朶との間に間隔が確保される大きさに形成されることが望ましい。これによれば、頭載せ部材が陥没しても、頭載せ部材の表面と耳朶との間には間隔が存するので、頭載せ部材の表面が耳朶に接触したり、耳朶を反転させたりすることがなく、睡眠中の人に不快感を与えることを防止することができる。
【００２５】
また、頭載せ部材は、軟質樹脂、例えば、低反発ウレタンフォーム製の成形体から成るものであることが望ましい。この場合、頭載せ部材の空洞部の上方部分に、空洞部と外部とを連通する連通孔を備えていれば、頭載せ部材の陥没時に空洞部内の空気が連通孔から外部に噴出され、頭部に涼感を与えることができる。
【００２６】
また、頭載せ部材を軟質樹脂製成形体から成るものとする場合、空洞部の前側の壁部は、頭載せ部材の非陥没状態における上下方向に沿う断面形状が前側に凸の弧状になるように形成されていることが望ましい。これによれば、人が仰向き姿勢になって頭載せ部材が陥没したとき、前側の壁部が人の頸部の下で前側にのびるように潰れ、前側の壁部により理想的な状態で頸部全体が支えられる。
【００２７】
ところで、頭載せ部材が低反発ウレタンフォーム製の成形体から成る場合、横向き姿勢やうつ伏せ姿勢になって顔が頭載せ部材に触れると、空洞部内のリンク部材や連結部材の存在を頭載せ部材越しに感じ取ってしまい、違和感を覚える。この場合、頭載せ部材の空洞部の天井面に、低反発ウレタンフォームより硬質の弾性材料、例えば、ラバーフォーム製の裏板が積層されていれば、リンク部材や連結部材の存在を感じ取りにくくすることができる。
【００２８】
尚、頭載せ部材は、羽毛、天然繊維、合成繊維、無機質粒子、有機質粒子、流体からなる群から選択された少なくとも１種の材料を内蔵する袋状体から成るものであっても良い。
【発明を実施するための最良の形態】
【００２９】
次に、添付の図面を参照しながら本発明の実施の形態について説明する。図１は本発明の第１実施形態の枕の斜視図、図２は図１のＩＩ−ＩＩ線断面図、図３は図２のＩＩＩ−ＩＩＩ線断面図、図４は第１実施形態の枕に備える付勢機構の作動を示す側面図、図５乃至図７は第１実施形態の枕の作動を示す説明的断面図である。【００３０】
図１に示すように、第１実施形態の枕１は、フェルト等からなる底部材２と、底部材２上に配設された頭載せ部材３とを備え、さらに底部材２と頭載せ部材３とは外被布４で被覆されている。頭載せ部材３は、低反発ウレタンフォーム製の成形体から成り、平面視の形状が横長の略長方形になるよう形成されている。頭載せ部材３の上部には、頭載せ部材３に人の頭部を載せた状態で頭頂部が位置する側を後側、人の頸部が位置する側を前側として、後側の低い稜部５と前側の高い稜部６とが形成され、これら両稜部５，６の間が鞍部７になっている。【００３１】
頭載せ部材３は、図２，３に示すように内部に空洞部８を備える。そして、頭載せ部材３に図５に示す如く人の頭部Ｈを仰向けに載せたときに、頭載せ部材３が頭部Ｈの荷重により陥没して頭載せ部材３上の頭部Ｈの最下部たる後頭部Ｂと底部材２との間隔が１０〜３０ｍｍの範囲になるようにしている。また、空洞部８内には付勢機構９が設けられ、更に、頭載せ部材３の空洞部８の上方部分には、空洞部８と外部とを連通する連通孔１０が形成されている。【００３２】
付勢機構９は、空洞部８内に横方向に離隔させて配置した１対のＸ型リンク１１，１１を備えている。各Ｘ型リンク１１は、前上がりに傾斜する第１リンク部材１２と後上がりに傾斜する第２リンク部材１３とを、両リンク部材１２，１３の中間部に設けた軸受け１４，１５に挿通する横方向のリンク軸１６により互いに回動自在に連結して成るものである。尚、第１実施形態では、各Ｘ型リンク１１を空洞部８の横方向各側の側壁面に沿うように配置している。【００３３】
付勢機構９は、更に、両Ｘ型リンク１１，１１の第１リンク部材１２，１２の後端部同士を連結する後側の下部連結部材１７と、第１リンク部材１２，１２の前端部同士を連結する前側の上部連結部材１８と、両Ｘ型リンク１１，１１の第２リンク部材１３，１３の前端部同士を連結する前側の下部連結部材１９と、第２リンク部材１３，１３の後端部同士を連結する後側の上部連結部材２０とを備えている。尚、第１リンク部材１２，１２、後側の下部連結部材１７及び前側の上部連結部材１８は長方形の枠状に形成された１部品で構成され、第２リンク部材１３，１３、前側の下部連結部材１９及び後側の上部連結部材２０も長方形の枠状に形成された１部品で構成されている。
【００３４】
後側と前側の下部連結部材１７，１９間には、横方向に離隔させて第１のばね部材たる１対の引張りばね２１，２１が張設されている。かくして、両引張りばね２１，２１により、両Ｘ型リンク１１，１１に対し前後方向の作用線に沿って各Ｘ型リンク１１の両リンク部材１２，１３を前後方向に接近させる方向のばね力が加えられる。そして、両リンク部材１２，１３にばね力によるリンク軸１６回りのモーメントが作用し、このモーメントにより両Ｘ型リンク１１，１１に上方の伸び側への付勢力が付与され、頭載せ部材３の空洞部８の上方部分が前側と後側の上部連結部材１８，２０を介して上方に付勢される。【００３５】
また、付勢機構９は、頭載せ部材３が後述するように陥没したとき、陥没途中で引張りばね２１の作用線と各Ｘ型リンク１１の両リンク部材１２，１３の枢着部たるリンク軸１６との上下方向の位置関係が逆転して、引張りばね２１により両Ｘ型リンク１１，１１が下方の縮み側に付勢されるように構成される。具体的には、引張りばね２１の後端部を後側の下部連結部材１７に取付けたＬ字状のブラケット２２に該下部連結部材１７より上方位置で係止している。そして、Ｘ型リンク１１の伸び状態では、引張りばね２１の中心線(ばね力の作用線)がリンク軸１６の下方に位置するが、Ｘ型リンク１１の最収縮状態では、図４(ｃ)に示す如く、引張りばね２１の中心線が距離Ｍだけリンク軸１６の上方に変位するようにしている。また、各Ｘ型リンク１１の第２リンク部材１３の前部上面に、前側の上部連結部材１８に対向する第２のばね部材たる板ばね２３を取付けている。そして、Ｘ型リンク１１が伸び状態に存するときは、前側の上部連結部材１８が板ばね２３から離れているが、引張りばね２１の中心線とリンク軸１６との上下方向の位置関係が逆転したときには、前側の上部連結部材１８が板ばね２３に当接し、板ばね２３によりＸ型リンク１１が引張りばね２１による付勢力に抗して上方の伸び側に付勢され、引張りばね２１の中心線とリンク軸１６との上下方向の位置関係が再逆転可能になるようにしている。
【００３６】
尚、図４に示されているように、前側と後側の上部連結部材１８，２０間には空洞部８の天井に接触する張布２４が取付けられている。また、Ｘ型リンク１１の上方への伸び量は、後側の下部連結部材１７と上部連結部材２０との間に張設したチェーンから成る可撓性を有する張り渡し部材２５により規制されている。【００３７】
次に、図４乃至図７を参照して、付勢機構９の作動及び人の就寝時の姿勢変更による枕１の高さ変化について説明する。就寝時に人が横向き姿勢になると(図６参照)、人の頭部Ｈが肩部Ｓで支えられて頭載せ部３に作用する荷重が減少するため、Ｘ型リンク１１は、図４（ａ）に示すように、引張りばね２１により付与される上方の伸び側への付勢力で上方に伸びた状態になり、頭載せ部材３の空洞部８の上方部分が押し上げられて、頭載せ部材３は図６に示す非陥没状態になる。【００３８】
ここで、Ｘ型リンク１１を下方の縮み側に動かすのに必要な荷重は、荷重の作用箇所によって異なり、荷重の作用箇所が前後の上部連結部材１８，２０間の前後方向中間部に位置するときは大きく、各上部連結部材１８，２０に近付くほど小さくなる。これは、荷重の作用箇所が各上部連結部材１８，２０に近付くほど各上部連結部材１８，２０を介してＸ型リンク１１の各リンク部材１２，１３に作用するリンク軸１６回りのモーメントが大きくなるためである。横向き姿勢の人の頭部Ｈの荷重作用箇所は前側と後側の両上部連結部材１８，２０間の前後方向中間部であり、この部分に頭部の荷重が作用しても、この部分ではＸ型リンク１１を下方の縮み側に動かすのに必要な荷重が大きくなるため頭載せ部材３は非陥没状態に保持される。
【００３９】
人が就寝中に寝返りを打って横向き姿勢から仰向き姿勢になると、横向き姿勢時に頭載せ部材３が非陥没状態に保持されている関係で頸部より頭部の位置が高くなって頸部が曲がり、頸部の筋反力により頸部が載る頭載せ部材３の前側部分に作用する荷重が増加する。そして、頭載せ部材３の前側部分は前側の上部連結部材１８で支持されているため、頸部の筋反力による荷重増加で第１リンク部材１２にリンク軸１６回りの大きなモーメントが作用し、Ｘ型リンク１１が図４(ｂ)に示す如く下方の縮み側に応答性良く動き、頭載せ部材３が陥没する。【００４０】
ここで、各リンク部材１２，１３と引張りばね２１のばね力の作用線との成す角度は頭載せ部材３が非陥没状態であるときに２０°程度になるように設定されている。Ｘ型リンク１１が下方の縮み側に動き始めると、リンク部材１２，１３とばね力の作用線との成す角度が減少し、この減少に伴い引張りばね２１が伸ばされてばね力は増加するが、２０°以下の角度範囲では角度減少によるばね力の増加は僅かになる。一方、引張りばね２１のばね力の作用線とリンク軸１６との間の距離はＸ型リンク１１の下方への収縮量に比例して減少する。そのため、リンク部材１２，１３に作用するモーメント(＝ばね力×ばね力の作用線とリンク軸１６との間の距離)、即ち、Ｘ型リンク１１に付与される上方の伸び側への付勢力はＸ型リンク１１が下方に縮むのに伴って減少する。しかも、頭載せ部材３の陥没途中で引張りばね２１のばね力の作用線とリンク軸１６との上下方向の位置関係が逆転するため、頭載せ部材３の陥没で頸部の筋反力よる荷重が減少しても、Ｘ型リンク１１は途中で停止することなく図４(ｃ)に示す最収縮状態になるまで動く。その結果、頭載せ部材３は図５に示す如く完全に陥没して、頭部Ｈの最下部たる後頭部Ｂと底部材２との間隔が１０〜３０ｍｍ、例えば、１５ｍｍになる。【００４１】
この状態では、板ばね２３による伸び側への付勢力と引張りばね２１による縮み側の付勢力との差分の付勢力でＸ型リンク１１が伸び側に付勢されることになる。そのため、頭載せ部材３の非陥没状態における伸び側への所要の付勢力が確保されるように引張りばね２１のばね力を強くしても、頭載せ部材３の完全陥没状態における伸び側への付勢力を十分に小さくすることができる。従って、頭部Ｈの荷重で頭載せ部材３は完全陥没状態に維持され、後頭部Ｂと底部材２との間隔が上記の範囲に維持されて、最も自然な姿勢を取ることができる。また、図５に示す状態では、人の頸部Ｎは頭載せ部材３の高い稜部６上にあるが、このとき頸部Ｎには、底部材２と頭載せ部材３の稜部６との反発力が作用するに過ぎず、後頭部Ｂよりも高い位置にある頸部Ｎが適切な強さで支持される。【００４２】
また、頭載せ部材３が陥没する際は、空洞部８内の空気が連通孔１０から外部に噴出する。そして、噴出する空気により頭部Ｈに涼感が与えられ、頭寒足熱とすることができる。また、空洞部８の大きさは、図７に示す如く、頭載せ部材３の完全陥没状態で頭載せ部材３の表面３ａと仰向き姿勢の人の頭部Ｈの耳朶Ｙとの間に間隔が確保されるように設定されている。そのため、頭載せ部材３が陥没しても頭載せ部材３の表面３ａが耳朶Ｙに接触したり、耳朶Ｙを反転させることがなく、睡眠を妨げることがない。尚、頭載せ部材３の表面３ａと耳朶Ｙとの間に間隔を確保する上で、空洞部８は、人の左右の耳朶Ｙ，Ｙ間の長さの１．５〜２．０倍程度、具体的には３０〜４０ｃｍの範囲の横方向長さと、６０〜８０ｍｍの範囲の高さとを備えていることが好ましい。
【００４３】
人が仰向き姿勢から寝返りを打って横向き姿勢になり、頭部Ｈが肩部Ｓで支えられて頭載せ部材３に作用する荷重が減少すると、頭載せ部材３の完全陥没状態でもＸ型リンク１１は板ばね２３により上記の如く伸び側に付勢されているため、Ｘ型リンク１１が上方の伸び側に動く。そして、引張りばね２１のばね力の作用線とリンク軸１６との上下方向の位置関係が再逆転し、以後引張りばね２１によりＸ型リンク１１に付与される伸び側への付勢力により頭載せ部材３は図６に示す非陥没状態に復帰する。【００４４】
図８乃至図１１は第２実施形態の枕を示しており、上記第１実施形態と同様の部材には上記と同一の符号を付している。以下、第２実施形態の枕１の第１実施形態のものとの相違点について説明する。【００４５】
第１の相違点は、各Ｘ型リンク１１の第１と第２の両リンク部材１２，１３の枢着部たるリンク軸１６が、第１リンク部材１２の前後方向中心位置より後方にオフセットした位置に設けられ、且つ、各Ｘ型リンク１１の第１リンク部材１２の前端部が第２リンク部材１３の前端部より前側に位置していることである。このようにリンク軸１６を後方にオフセットすると、リンク軸１６と前側の上部連結部材１８との間の前後方向距離が長くなり、前側の上部連結部材１８に荷重が加えられた場合、第１リンク部材１２にリンク軸１６回りの大きなモーメントが作用して、Ｘ型リンク１１が下方に縮み易くなる。【００４６】
図１０に示すものでは、第１リンク部材１２の前端とリンク軸１６との間の長さが第２リンク部材１３の後端とリンク軸１６との間の長さの１．５倍になっており、このＸ型リンク１１を下方の縮み側に動かすのに必要な荷重の前後方向の各位置(各位置の間隔は２０ｍｍ)における値が図１０(ａ)のＸ型リンク１１の上側に記入されている。このものでリンク軸１６の直上部近傍での荷重は７ｋｇｆ程度になるが、前側の上部連結部材１８に合致する位置では荷重が２ｋｇｆ程度も減少して５．１ｋｇｆになる。ここで、横向き姿勢の人の頭部により頭載せ部材３に作用する荷重は４ｋｇｆ程度であるが、仰向き姿勢になったときは、頸部の筋反力による荷重増加で前側の上部連結部材１８に６ｋｇｆ以上の荷重が作用する。そのため、Ｘ型リンク１１が下方の縮み側に応答性良く動き、姿勢変更に対する枕の高さ変化の追従性が向上する。【００４７】
ところで、Ｘ型リンク１１が下方の縮み側に動く際は、第１リンク部材１２の後端部が底部材２に対し後側に変位し、この変位に対する底部材２からの抵抗を受けると、Ｘ型リンク１１の縮み側への動きが妨げられる。ここで、各Ｘ型リンク１１の第１リンク部材１２の前端部を第２リンク部材１３の前端部より前側に位置させておけば、前側の上部連結部材１８に加えられる下方への荷重により第２リンク部材１３の前端部(前側の下部連結部材１９)を支点にしてＸ型リンク１１全体を後上がりに回転させる方向のモーメントが作用し、第１リンク部材１２の後端部が底部材２から浮き上がる。そのため、底部材２からの抵抗を受けずに第１リンク部材１２の後端部が底部材２に対し後側に変位できるようになり、Ｘ型リンク１１がスムーズに縮み側に動く。【００４８】
第２実施形態の枕１の第１実施形態のものとの第２の相違点は、Ｘ型リンク１１を上方の伸び側に付勢するばね部材として、前後の上部連結部材１８，２０間に張設した上部引張りばね２６と、前後の下部連結部材１７，１９間に張設した下部引張りばね２７とを備え、頭載せ部材３の陥没途中で上部引張りばね２６の中心線(ばね力の作用線)とリンク軸１６との上下方向の位置関係が逆転するようにしたことである。ここで、各リンク部材１２，１３は、側縁に立上り部１２ａ，１３ａを有する断面Ｌ字状の鋼材で形成されており、両リンク部材１２，１３を立上り部１２ａ，１３ａにおいてリンク軸１６により回動自在に連結している。尚、第１リンク部材１２の立上り部１２ａの後部には、Ｘ型リンク１１の最収縮状態で後側の上部連結部材２０が入り込む凹欠部１２ｂが形成されている。【００４９】
頭載せ部材３の完全陥没状態、即ち、Ｘ型リンク１１の最収縮状態では、図１０(ｂ)に示す如く、リンク軸１６より上方に位置していた上部引張りばね２６の中心線が距離Ｍ(例えば１０ｍｍ)だけリンク軸１６の下方に変位し、上部引張りばね２６によりＸ型リンク１１が縮み側に付勢される。一方、下部引張りばね２７の中心線とリンク軸１６との上下方向の位置関係は逆転せず、Ｘ型リンク１１には最収縮状態においても下部引張りばね２７による伸び側への付勢力が付与される。そして、Ｘ型リンク１１の最収縮状態で下部引張りばね２７により付与される伸び側への付勢力を上部引張りばね２６による縮み側の付勢力より大きくし、両付勢力の差分の付勢力でＸ型リンク１１が伸び側に付勢されるようにしている。【００５０】
図１０(ａ)の右側には、Ｘ型リンク１１の伸び側の付勢力により前側の上部連結部材１８に作用する押上げ力(＝Ｘ型リンク１１を縮み側に動かすのに必要な荷重)の上下方向の各位置(各位置の間隔は１０ｍｍ)における値が記入されている。上部連結部材１８の上昇端位置(高さ８０ｍｍ)での押上げ力は５．１ｋｇｆになるが、下降端位置での押上げ力は０．７５ｋｇｆと十分に小さくなる。そのため、仰向き姿勢の人の頸部に負荷が掛かることを防止できる。また、仰向き姿勢から横向き姿勢に姿勢変更し、頭部が肩部に支えられて頭載せ部材３に作用する荷重が減少すると、Ｘ型リンク１１が上方の伸び側に動き、頭載せ部材３は非陥没状態に確実に復帰する。【００５１】
また、頭載せ部材３の非陥没状態においては、上部引張りばね２６による付勢力と下部引張りばね２７による付勢力との合力でＸ型リンク１１が伸び側に付勢されることになり、上部と下部の各引張りばね２６，２７のばね力を比較的弱くしても、頭載せ部材３を非陥没状態に保持するのに必要な伸び側への所要の付勢力を得ることができる。その結果、各上部連結部材１８，２０及び各下部連結部材１７，１９の剛性を然程高くしなくても、ばね力によるこれら連結部材１７〜２０の撓みを防止でき、これら連結部材１７〜２０の軽量化、ひいては枕１の軽量化を図ることができる。尚、第２実施形態では、ばね力の作用線とリンク軸１６との上下方向の位置関係が頭載せ部材３の陥没途中で逆転するばね部材を上部引張りばね２６としたが、このばね部材を下部引張りばね２７とすることも可能である。【００５２】
また、上部と下部の各引張りばね２６，２７は、夫々、横方向に間隔を存して複数設けられている。これによれば、頭載せ部材３の空洞部８の上方部分が複数の上部引張りばね２６で弾性的に支えられる。従って、人が横向き姿勢で頭載せ部材３が非陥没状態に存するときに、人の頭部が載る頭載せ部材３の部分(空洞部８の上方部分の中央部)が前後の上部連結部材１８，２０の間で陥没して、頭部の位置が下がることを防止できる。【００５３】
尚、上部引張りばね２６のばね力の作用線とリンク軸１６との上下方向の位置関係を再逆転させるばね部材として、下部引張りばね２７に代えて第１実施形態の板ばね２３を用いることも可能である。この場合、前後の下部連結部材１７，１９は無くても良い。【００５４】
第２実施形態の枕１の第１実施形態のものとの第３の相違点は、後側の下部と上部の各連結部材１７，２０が回転調節可能な軸状部材で構成されていることである。軸状部材から成るこれら各連結部材１７，２０は、対応する各リンク部材１２，１３の立上り部１２ａ，１３ａに回転自在に挿通されている。そして、各連結部材１７，２０に、図８に示す如く、各リンク１２，１３の立上り部１２ａ，１３ａを横方向両側から挟むナット１７ａ，２０ａを取り付け、常時はナット１７ａ，２０ａと立上り部１２ａ，１３ａとの間の摩擦力で各連結部材１７，２０が回り止めされるようにしている。また、後側の下部連結部材１７の横方向一端部にこれに固定したナットで構成される工具用の係合部１７ｂを設けると共に、後側の上部連結部材２０の横方向他端部にも工具用の係合部２０ｂを設け、更に、頭載せ部材３の空洞部８の横方向両側の側壁部に夫々係合部１７ｂ，２０ｂに臨む工具挿入穴２８，２９を形成している。かくして、各工具挿入穴２８，２９を通して各係合部１７ｂ，２０ｂにボックススパナ等の工具を係合させ、後側の下部連結部材１７と後側の上部連結部材２０とを回転調節することができる。【００５５】
ここで、後側の下部連結部材１７には、下部引張りばね２７の後端部が巻き付け固定されている。そのため、後側の下部連結部材１７を回転調節することにより下部引張りばね２７のばね力を変化させて、頭載せ部材３の非陥没状態においてＸ型リンク１１に付与される伸び側への付勢力を利用者の頭部の重量に合わせて調節することができる。頭載せ部材１７の非陥没状態において前側の上部連結部材１８に作用する押上げ力を下部引張りばね２７のばね力の調節で５．８１ｋｇｆ、５．３１ｋｇｆ、４．９５ｋｇｆ、４．４６ｋｇｆ、３．８７ｋｇｆに変化させ場合、頭載せ部材３の完全陥没状態において前側の上部連結部材１８に作用する押上げ力は、夫々、０．９２ｋｇｆ、０．８２ｋｇｆ、０．７５ｋｇｆ、０．７ｋｇｆ、０．５５ｋｇｆになる。このように頭載せ部材３の非陥没状態において前側の上部連結部材１８に作用する押上げ力を大きく変化させても、頭載せ部材３の完全陥没状態において前側の上部連結部材１８に作用する押上げ力は然程変化しない。従って、頭載せ部材３の非陥没状態において前側の上部連結部材１８に作用する押上げ力を頭部の重量の大きな利用者に合わせて大きくしても、頭載せ部材３の完全陥没状態において前側の上部連結部材１８に作用する押上げ力は十分に小さくなり、仰向け姿勢の人の頸部に負荷がかかることを防止できる。
【００５６】
後側の上部連結部材２０には、後側の下部連結部材１７に下端部を相対回転自在に係止した可撓性を有する張り渡し部材２５の上端部が巻き付け固定されている。そのため、後側の上部連結部材２０を回転調節することにより、頭載せ部材３の非陥没状態における下部連結部材１７と上部連結部材２０との間の間隔、即ち、頭載せ部材３の高さを利用者に合わせて簡単に調節することができる。尚、上部引張りばね２６の後端部は後側の上部連結部材２０に相対回転自在に係止され、この連結部材２０の回転で上部引張りばね２６のばね力が変化することはない。【００５７】
このように第２実施形態では、後側の下部連結部材１７の回転でＸ型リンク１１に付与する伸び側への付勢力を調節し、後側の上部連結部材２０の回転で頭載せ部材３の高さを調節するようにしているが、後側の下部連結部材１７に張り渡し部材２５の下端部を巻き付け固定すると共に、後側の上部連結部材２０に上部引張りばね２６の後端部を巻き付け固定して、後側の下部連結部材１７の回転で頭載せ部材３の高さを調節し、後側の上部連結部材２０の回転でＸ型リンク１１に付与する伸び側への付勢力を調節することも可能である。また、前側の上部と下部の連結部材１８，１９を回転調節可能な軸状部材で構成し、これら上部と下部の連結部材１８，１９の一方の連結部材に対応する引張りばねの端部を巻き付け固定すると共に、他方の連結部材に両連結部材１８，１９間に張設する張り渡し部材の端部を巻き付け固定しても良い。【００５８】
第２実施形態の枕１の第１実施形態のものとの第４の相違点は、付勢機構９をラバー等で形成された伸縮自在な筒状のカバー部材３０により包み込んだことである。これにより、付勢機構９の構成部材が底部材２や頭載せ部材３に直接触れて、底部材２や頭載せ部材３が損傷することを防止できる。【００５９】
第２実施形態の枕１の第１実施形態のものとの第５の相違点は、空洞部８の前側の壁部３１を、頭載せ部材３の非陥没状態における上下方向に沿う断面形状が前側に凸の弧状になるように形成したことである。第１実施形態のように空洞部８の前側が鉛直な壁部になっていると、仰向き姿勢になった場合、この壁部が鉛直に圧縮されることになる。そのため、頭載せ部材３を低反発ウレタンフォームで形成しても、壁部の反発力が大きくなって、頸部が圧迫されることがある。一方、前側の壁部３１が上記の如く弧状の断面形状に形成されていると、仰向き姿勢時に図１１に示す如く前側の壁部３１が頸部の下で前側にのびるように潰れる。その結果、頸部を圧迫することなく理想的な状態で頸部全体を支えることができる。【００６０】
尚、第２実施形態では、底部材２を頭載せ部材３と同様の低反発ウレタンフォーム製の成形体で構成し、空洞部８の下半部が底部材２の周囲の壁部で囲われるようにしている。そのため、空洞部８の前側の壁部３１は、頭載せ部材３に一体の上半部３１ａと底部材２に一体の下半部３１ｂとを接合した構造になっているが、前側の壁部３１を下半部３１ｂに亘り頭載せ部材３と一体に形成することも可能である。また、図１１では、底部材２と頭載せ部材３との間にリンク部材１２，１３の立上り部１２ａ，１３ａの高さ分の隙間が空いているが、隙間が空くのはＸ型リンク１１の近傍だけであり、頭部が載る横方向中間部では底部材２と頭載せ部材３との間に殆ど隙間は発生せず、後頭部と底部材２との間隔は１０〜３０ｍｍの範囲になる。【００６１】
第２実施形態の枕１の第１実施形態のものとの第６の相違点は、頭載せ部材３の空洞部８の天井面に、頭載せ部材３の形成材料である低反発ウレタンフォームより硬質の弾性材料、例えば、ラバーフォーム製の裏板３２が積層されていることである。頭載せ部材３が低反発ウレタンフォーム製の成形体から成る場合、横向き姿勢やうつ伏せ姿勢になって顔が頭載せ部材３に触れると、空洞部８内のリンク部材１２，１３や上部連結部材１８，２０といった付勢機構９の構成部材の存在を頭載せ部材３越しに感じ取ってしまい、違和感を覚える。上記の如く裏板３２を設けることにより、付勢機構９の構成部材の存在を感じ取りにくくして、利用者に違和感を与えることを防止できる。尚、頭載せ部材３の空洞部８の天井面の中央部にはリンク部材１２，１３や上部連結部材１８，２０が当らないため、裏板３２を方形の環状に形成して、天井面の中央部に裏板３２が積層されないようにすることも可能である。【００６２】
以上、頭載せ部材３が低反発ウレタンフォーム製の成形体から成る実施形態について説明したが、頭載せ部材３は通常のウレタンフォーム、ラバーフォーム等の他の軟質樹脂製成形体から成るものであっても良い。また、頭載せ部材３は、羽毛、天然繊維、合成繊維、無機質粒子、有機質粒子、流体からなる群から選択された少なくとも１種の材料を内蔵する袋状体から成るものであっても良い。前記天然繊維としては、綿、パンヤ等の植物性繊維、キャメル等の動物性繊維を挙げることができ、前記合成繊維としては合成綿等を挙げることができる。また、前記無機質粒子としては炭、セラミック、天然石等の粒子等を挙げることができ、前記有機質粒子としては、そば殻等の植物性粒子、プラスチックビーズ、プラスチックパイプ等の合成樹脂製粒子等を挙げることができる。さらに、前記流体としては、水、ゼリー、冷却剤等を挙げることができる。【００６３】
また、上記実施形態では、頭載せ部材３を少なくとも前側の稜部６を備える形状としているが、頭載せ部材３は空洞部８内に付勢機構９を備えることができるものであれば、どのような形状であっても良い。
【図面の簡単な説明】
【００６４】
【図１】本発明の第１実施形態の枕の斜視図。
【図２】図１のＩＩ−ＩＩ線で切断した切断側面図。
【図３】図２のＩＩＩ−ＩＩＩ線で切断した切断平面図。
【図４】第１実施形態の枕に設けられた付勢機構の作動を示す側面図。
【図５】第１実施形態の枕に仰向き姿勢で頭部を載せたときの枕の切断側面図。
【図６】第１実施形態の枕に横向き姿勢で頭部を載せたときの枕の切断側面図。
【図７】第１実施形態の枕に仰向き姿勢で頭部を載せたときの枕の切断正面図。
【図８】本発明の第２実施形態の枕の切断平面図。
【図９】図８のＩＸ−ＩＸ線で切断した切断側面図。
【図１０】第２実施形態の枕に設けられた付勢機構の作動を示す側面図。
【図１１】第２実施形態の枕の陥没状態を示す切断側面図。
【符号の説明】
【００６５】
１…枕、  ２…底部材、  ３…頭載せ部材、  ８…空洞部、  ９…付勢機構、  １０…連通孔、  １１…Ｘ型リンク、  １２…第１リンク部材、  １３…第２リンク部材、  １６…リンク軸(枢着部)、  １７…後側の下部連結部材、  １８…前側の上部連結部材、  １９…前側の下部連結部材、  ２０…後側の上部連結部材、  ２１…引張りばね(ばね部材)、  ２３…板ばね(第２のばね部材)、  ２５…張り渡し部材、  ２６…上部引張りばね、  ２７…下部引張りばね、  ２８，２９…工具挿通穴、  ３０…カバー部材、  ３１…前側の壁部、  ３２…裏板。
【図１】
0004116059.tif 000002
【図２】
0004116059.tif 000003
【図３】
0004116059.tif 000004
【図４】
0004116059.tif 000005
【図５】
0004116059.tif 000006
【図６】
0004116059.tif 000007
【図７】
0004116059.tif 000008
【図８】
0004116059.tif 000009
【図９】
0004116059.tif 000010
【図１０】
0004116059.tif 000011
【図１１】
0004116059.tif 000012